(57)【要約】【課題】入浴者に十分なマッサージ効果を与えることができる浴槽装置を提供する。【解決手段】浴槽装置１１において、浴槽２の背側の内壁面を、垂直方向に対して傾斜した傾斜面２ｂと、この傾斜面２ｂよりも垂直に近い垂直面２ｃとから構成する。また、浴槽装置１１の傾斜面２ｂに進出部３を設ける。進出部３は、その表面が傾斜面２ｂと略同一平面をなす標準状態と、この標準状態よりも浴槽２の内部に向けて進出した進出状態との間で変位可能とする。更に、進出部３を駆動する駆動手段４を設ける。そして、浴槽２の背側の内壁面の上方にヘッドレスト６を設ける。ヘッドレスト６の支持面６ａは浴槽２に対して可動とし、傾斜面２ｂの延長面Ｆよりも背側の位置と、足側の位置とで固定可能とする。【選択図】図１
2008093035.tif 000002
【特許請求の範囲】
【請求項１】
背側の内壁面が、垂直方向に対して傾斜した第１壁面と、前記第１壁面の下方に前記第１壁面と連続して配置され前記第１壁面よりも垂直に近い第２壁面と、を有する浴槽と、
前記第１壁面に設けられ、表面が標準状態と前記標準状態よりも前記浴槽の内部に向けて進出した進出状態との間で変位可能な進出部と、
前記進出部を駆動する駆動手段と、
前記背側の内壁面の上方に配置されたヘッドレストと、
を備え、
前記ヘッドレストの支持面は前記浴槽に対して可動であることを特徴とする浴槽装置。
【請求項２】
前記ヘッドレストの支持面は、前記第１壁面の延長面よりも足側にある足側位置と、前記第１壁面の延長面よりも背側にある背側位置と、で固定可能であることを特徴とする請求項１記載の浴槽装置。
【請求項３】
前記ヘッドレストの支持面は、前記進出部の動作に連動して移動することを特徴とする請求項１記載の浴槽装置。
【請求項４】
前記進出部が前記標準状態にあるときに、前記ヘッドレストの支持面が前記足側位置となり、前記進出部が前記進出状態にあるときに、前記ヘッドレストの支持面が前記背側位置となることを特徴とする請求項３記載の浴槽装置。
【請求項５】
前記第１壁面から前記第２壁面に向かう方向において、前記第１壁面の長さは前記第２壁面の長さよりも長いことを特徴とする請求項１〜４のいずれか１つに記載の浴槽装置。
【請求項６】
前記第１進出部は、前記第１壁面の下部であって、前記第２壁面との境界の近傍に配置されていることを特徴とする請求項１〜５のいずれか１つに記載の浴槽装置。
【請求項７】
前記第１壁面と前記浴槽の底面とのなす角度は、１１０乃至１５０度であることを特徴とする請求項１〜６のいずれか１つに記載の浴槽装置。
【請求項８】
前記ヘッドレストは、流体が出入りすることにより伸縮するバックを有することを特徴とする請求項１〜７のいずれか１つに記載の浴槽装置。
【請求項９】
前記ヘッドレストは、前記浴槽の長手方向に移動可能であることを特徴とする請求項１〜７のいずれか１つに記載の浴槽装置。
【請求項１０】
前記ヘッドレストは、前記浴槽に対して回動可能であることを特徴とする請求項１〜７のいずれか１つに記載の浴槽装置。
【請求項１１】
前記ヘッドレストは、垂直方向に移動可能であることを特徴とする請求項１〜７のいずれか１つに記載の浴槽装置。
【請求項１２】
前記駆動手段は、前記進出部と共に前記ヘッドレストを駆動することを特徴とする請求項１〜１１のいずれか１つに記載の浴槽装置。
【発明の詳細な説明】
【技術分野】
【０００１】
本発明は、浴槽装置に関し、特に、入浴者にマッサージを施す浴槽装置に関する。
【背景技術】
【０００２】
近年、浴槽内で入浴者にマッサージを施す浴用マッサージ装置が開発されている。例えば、特許文献１には、浴槽内に設置する浴用マッサージ装置であって、入浴者の背中に接触する面が凸アール面とされており、この凸アール面から押し玉をエアーポンプにより突出させる装置が開示されている。特許文献１には、入浴者が浴槽内に座り、背中を凸アール面に接触させた状態で、エアーポンプを作動させて押し玉を突出させることにより、入浴者にマッサージを施すことができると記載されている。
【０００３】
しかしながら、特許文献１に記載された技術には以下に示すような問題点がある。すなわち、入浴者が凸アール面にもたれ掛かると、入浴者の姿勢が１つの姿勢に決められてしまい、この状態でマッサージを受けても、同じ感覚の刺激しか受けることができない。このため、特許文献１に記載された技術では、マッサージの効果が不十分である。
【０００４】
【特許文献１】特開２０００−３４２６５３号公報
【発明の開示】
【発明が解決しようとする課題】
【０００５】
本発明の目的は、入浴者に十分なマッサージ効果を与えることができる浴槽装置を提供することである。
【課題を解決するための手段】
【０００６】
本発明の一態様によれば、背側の内壁面が、垂直方向に対して傾斜した第１壁面と、前記第１壁面の下方に前記第１壁面と連続して配置され前記第１壁面よりも垂直に近い第２壁面と、を有する浴槽と、前記第１壁面に設けられ、表面が標準状態と前記標準状態よりも前記浴槽の内部に向けて進出した進出状態との間で変位可能な進出部と、前記進出部を駆動する駆動手段と、前記背側の内壁面の上方に配置されたヘッドレストと、を備え、前記ヘッドレストの支持面は前記浴槽に対して可動であることを特徴とする浴槽装置が提供される。
【発明の効果】
【０００７】
本発明によれば、入浴者に十分なマッサージ効果を与えることができる浴槽装置を実現することができる。
【発明を実施するための最良の形態】
【０００８】
以下、図面を参照しつつ本発明の実施形態について説明する。  
図１乃至図４は、本実施形態に係る浴槽装置を例示する模式的断面図であり、  
図１は、ヘッドレストの支持面が背側位置にあり、進出部が標準状態にある場合を示し、
図２は、ヘッドレストの支持面が背側位置にあり、進出部が進出状態にある場合を示し、
図３は、ヘッドレストの支持面が足側位置にあり、進出部が標準状態にある場合を示し、
図４は、ヘッドレストの支持面が足側位置にあり、進出部が進出状態にある場合を示す。
【０００９】
図１に示すように、本実施形態に係る浴槽装置１１においては、浴槽２が設けられている。浴槽２の形状は、上方から見て略長方形であり、長手方向の両端部が背側及び足側となっている。浴槽２の底面２ａは略水平に形成されている。また、浴槽２の背側の内壁面は上下に分かれた２つの面からなり、上部は垂直方向に対して傾斜した傾斜面２ｂであり、下部は傾斜面２ｂの下方に傾斜面２ｂと連続して配置された垂直面２ｃである。傾斜面２ｂは、入浴者Ｍが臀部を底面２ａに接触させ、背中を傾斜面２ｂに接触させたときに、仰臥姿勢をとれる程度に傾斜している。傾斜面２ｂと底面２ａとのなす角度θは、例えば１１０乃至１５０度であることが好ましい。また、垂直面２ｃは底面２ａから例えば略垂直に起立している。底面２ａ及び垂直面２ｃにより、凹部２ｄが形成されている。
【００１０】
また、浴槽２の足側の内壁においては、底面２ａから略垂直方向に起立した垂直面２ｅと、垂直面２ｅの上端縁から略水平方向に延びる水平面２ｆと、水平面２ｆの垂直面２ｅとは反対側の端縁から略垂直方向に起立した垂直面２ｇとが連続的に形成されている。水平面２ｆは底面２ａよりも高い位置にあり、入浴者が入浴姿勢をとったときに足を乗せるステップとなる。
【００１１】
そして、傾斜面２ｂの下部領域、すなわち、垂直面２ｃとの境界の近傍には、進出部３が設けられている。進出部３は、その表面が傾斜面２ｂと略同一平面をなす状態（以下、「標準状態」という）と、この標準状態よりも浴槽２の内部に向けて進出した状態（以下、「進出状態」という）との間で変位可能とされている。進出部３の進出方向は、例えば、傾斜面２ｂに対して略垂直な方向である。また、進出部３は、浴槽２の外部に設けられた駆動手段４に連結されている。駆動手段４は、進出部３を駆動するものである。
【００１２】
また、浴槽２の傾斜面２ｂの上方には、ヘッドレスト６が設けられている。ヘッドレスト６は、入浴者Ｍの後頭部を支持する部材であり、例えば、防水性及びクッション性を有する材料により形成されている。ヘッドレスト６の足側の面は、入浴者Ｍの後頭部を支持する支持面６ａとなっている。そして、ヘッドレスト６の支持面６ａは、浴槽２に対して移動可能とされている。例えば、ヘッドレスト６自体が浴槽２の傾斜面２ｂの延長面Ｆに交差する方向に移動可能とされており、ヘッドレスト６の支持面６ａは、延長面Ｆよりも足側の位置（以下、「足側位置」という）と、延長面Ｆよりも背側の位置（以下、「背側位置」という）との間の任意の位置で固定可能とされており、例えば、支持面６ａは背側位置及び足側位置の少なくとも２ヶ所で固定可能とされている。なお、浴槽２における「足側」とは、垂直面２ｇ側であり、「背側」とは傾斜面２ｂ側である。
【００１３】
なお、図１においては、浴槽２の形状を明確に示すために、各面はそれぞれ直線的に描かれており、各面間の境界部は尖った角部として描かれている。しかし、実際には、各面は緩やかな曲面となっていてもよく、各角部は丸みを帯びていてもよい。この場合において、傾斜面２ｂの延長面Ｆとは、傾斜面２ｂの主面部に接する平面をいう。これは、後述する他の図においても同様である。
【００１４】
次に、上述の如く構成された本実施形態に係る浴槽装置の動作について説明する。  
先ず、ヘッドレスト６の支持面６ａを背側位置とした場合の動作について説明する。  
図１に示すように、浴槽２内に湯Ｗを溜め、また、進出部３を標準状態とする。そして、入浴者Ｍが浴槽２内に入り、臀部を底面２ａに乗せ、後頭部をヘッドレスト６の支持面６ａに押し当て、足を水平面２ｆに乗せて、入浴姿勢をとる。このとき、入浴者Ｍの背中は傾斜面２ｂにもたれかかり、仰臥姿勢となる。入浴者Ｍが仰臥姿勢をとると、背中の筋肉は弛緩する。また、入浴者の頭部、頸部及び肩は湯Ｗの外部に位置し、これらの部分の重みは、主として背中における傾斜面２ｂに接触した領域によって支えられる。そして、進出部３の表面は、入浴者Ｍの腰部に相当する位置に位置する。
【００１５】
次に、図２に示すように、駆動手段４が進出部３を進出状態とする。すなわち、進出部３の表面を傾斜面２ｂから突出させる。このとき、入浴者Ｍは仰臥姿勢をとっており、背中の筋肉は弛緩しているため、進出部３は、主として入浴者Ｍの背骨を押すことになる。これにより、入浴者Ｍに、背中の筋肉が弛緩した状態での押圧感と、身体を両脇に開くようなストレッチ感を与えることができる。
【００１６】
また、入浴者Ｍの腰部は、進出部３によって斜め上方に持ち上げられる。この結果、入浴者Ｍの臀部は底面２ａから離れ、また凹部２ｄが形成されているため傾斜面２ｂに接触することもなく、水中に浮いた状態となる。これにより、入浴者Ｍの水面から出ている部分、すなわち、頭部、頸部及び肩などの重みは、主として入浴者Ｍの背中における進出部３に当接した領域にかかることになる。このため、進出部３によるマッサージ効果及びストレッチ効果が増大する。
【００１７】
更に、図１に示す状態においては、頭部などの重みの一部を臀部によっても支えているため、入浴者Ｍの上半身には一定の圧縮力が印加されている。これに対して、図２に示す状態においては、入浴者Ｍの腰部は進出部３によって斜め上方に持ち上げられ、臀部が底面２ａから浮いて自由になるため、上半身に圧縮力が印加されなくなる。これにより、入浴者Ｍの上半身が上下方向に伸ばされる。この結果、入浴者Ｍに上下方向のストレッチ感を与えることができる。  
更にまた、進出部３が進出状態となったときには、臀部が浮いた浮遊浴となるため、入浴による温熱効果と合わせて、臀部付近の血行を促進することもできる。
【００１８】
次に、駆動手段４が進出部３を標準状態とする。これにより、入浴者Ｍの入浴姿勢が図１に示す状態に戻る。以後、駆動手段４が進出部３を往復運動させることにより、図１に示す状態と図２に示す状態とを繰り返し実現する。なお、図２に示す状態においても、入浴者Ｍの身体は、ヘッドレスト６の支持面６ａに当接した後頭部、背中における進出部３に当接した領域、及び水平面２ｆ又は垂直面２ｇに当接した足の３点で支持されるため、入浴姿勢が大きく崩れることはない。
【００１９】
次に、ヘッドレスト６の支持面６ａを足側位置とした場合の動作について説明する。  
先ず、図３に示すように、進出部３を標準状態とする。そして、入浴者Ｍが臀部を底面２ａに乗せ、後頭部をヘッドレスト６の支持面６ａに押し当て、足を水平面２ｆに乗せて、入浴姿勢をとる。このとき、入浴者Ｍの姿勢は座位姿勢となり、臀部は凹部２ｄ内に入り込み、背中は傾斜面２ｂには接触しない。入浴者Ｍが座位姿勢をとると、背中の筋肉は伸張する。また、頭部、頸部及び肩は湯Ｗの外部に位置し、これらの部分の重みは、主として臀部における底面２ａに接触した領域によって支えられる。そして、進出部３の表面は、入浴者Ｍの腰部に相当する位置に位置する。
【００２０】
次に、図４に示すように、駆動手段４が進出部３を進出状態とする。すなわち、進出部３の表面を傾斜面２ｂから突出させる。これにより、入浴者Ｍの腰部が進出部３によって押圧される。このとき、入浴者Ｍは座位姿勢をとっており、背中の筋肉は伸張しているため、進出部３により、背中の筋肉を強くマッサージすることができる。なお、このとき、入浴者Ｍの臀部には、入浴者Ｍの水面から出ている部分、すなわち、頭部、頸部及び肩などの重みが印加されているため、臀部が底面２ａから浮くことはない。
【００２１】
次に、駆動手段４が進出部３を標準状態とする。これにより、入浴者Ｍの入浴姿勢が図３に示す状態に戻る。以後、駆動手段４が進出部３を往復運動させることにより、図３に示す状態と図４に示す状態とを繰り返し実現する。
【００２２】
次に、本実施形態の効果について説明する。  
本実施形態に係る浴槽装置によれば、ヘッドレスト６の支持面６ａの位置を変えることにより、入浴者Ｍの姿勢を変化させることができる。そして、それぞれの姿勢において、進出部３を駆動させてマッサージを施すことにより、入浴者Ｍに、異なる感覚の刺激を与えることができる。本実施形態においては、例えば上述の如く、ヘッドレスト６の支持面６ａの位置を傾斜面２ｂの延長面Ｆよりも背側の位置（背側位置）又は足側の位置（足側位置）としている。これにより、支持面６ａを背側位置で固定したときは、入浴者の姿勢は仰臥姿勢となり、背中の筋肉が弛緩した状態での押圧感と、身体が両脇及び上下に伸びるようなストレッチ感とを与えることができる。また、支持面６ａを足側位置に固定したときには、入浴者の姿勢は座位姿勢となり、背中の筋肉が伸張した状態での押圧感を与えることができる。
【００２３】
また、本実施形態においては、上下方向における傾斜面２ｂの長さが垂直面２ｃの長さよりも長く、傾斜面２ｂにおける垂直面２ｃとの境界の近傍に進出部３が設けられているため、進出部３を入浴者Ｍの腰椎付近に押し当てることができる。これにより、入浴者Ｍの腰椎を確実に押圧することができる。また、このとき、ヘッドレスト６の支持面６ａが背側位置にあれば、入浴者Ｍの頭部を後方に反らせることができるため、進出部３の動作と協調して、腰椎より上の上体を傾斜面２ｂに向かってより深く傾斜させることができる。この結果、入浴者の姿勢が胸腔を開くような姿勢になるように、上体をストレッチさせることができる。これにより、入浴者の胸腔を押し広げることができ、呼吸量を増大させることが期待できる。呼吸量が増大すると酸素摂取量が増加し、それに伴い、疲労回復、リラックスなどの効果を期待できる。また、従来は、入浴中は胸部に水圧がかかり呼吸量が減少するためあまりリラックスできず、これを避けるために半身浴での入浴を強いられる場合があった。しかしながら、本実施形態によれば、入浴者に胸腔を広げるようなストレッチを施すことができるため、入浴者は、通常の入浴のように胸までお湯につかりながらでも、リラックスすることができる。
【００２４】
このように、本実施形態によれば、姿勢を変えることにより、マッサージの感覚を変化させることができるため、入浴者が長時間入浴しても姿勢が窮屈にならず、また、同じ姿勢又は押圧感に飽きたときなどに、好みに応じて姿勢及び押圧感を変化させることができる。これにより、マッサージ効果を向上させることができる。
【００２５】
また、ヘッドレスト６の支持面６ａを背側位置とすれば、入浴者Ｍの姿勢は仰臥姿勢となるため、入浴者Ｍは精神的にも肉体的にもリラックスすることができる。そして、リラックスした仰臥姿勢のまま、マッサージ及びストレッチを受けることができる。これにより、マッサージ効果及びストレッチ効果をより一層向上させることができる。
【００２６】
更に、本実施形態においては、傾斜面２ｂと底面２ａとのなす角度θを１１０度以上としているため、入浴者Ｍの仰臥姿勢を十分にリクライニングさせることができる。これにより、入浴者Ｍをより確実にリラックスさせることができると共に、進出部３が進出状態にあるときに、体重を進出部３に集中させることができ、強いマッサージ効果を得ることができる。一方、本実施形態においては、角度θを１５０度以下としているため、凹部２ｄを深く形成し、進出部３が進出状態となったときに、入浴者Ｍの臀部をより確実に浮かせることができる。また、入浴者Ｍの頭部を水面上に出した状態で、胸部を確実に湯につからせることができる。
【００２７】
次に、本実施形態の変形例について説明する。  
先ず、本実施形態の第１の変形例について説明する。  
図５は、本変形例に係る浴槽装置を例示する模式的断面図であり、ヘッドレストの支持面が背側位置にあり、進出部が進出状態にある場合を示す。  
なお、図５において、前述の実施形態における図１乃至図４と同じ構成要素には同じ符号を付し、その詳細な説明を省略する。後述する他の図において同様である。
【００２８】
図５に示すように、本変形例に係る浴槽装置２１においては、浴槽２の傾斜面２ｂにおいて、進出部３よりも上方の領域に、第２の進出部５が設けられている。進出部５の表面は、入浴者Ｍが入浴姿勢をとったときに、入浴者Ｍの肩胛骨に相当する位置に配置されている。また、進出部５の進出方向は、例えば、傾斜面２ｂに対して略垂直な方向である。更に、進出部５の進出量、すなわち、進出部５が標準状態にあるときの進出部５の表面の位置と、進出状態にあるときの進出部５の表面の位置との間の距離は、進出部３の進出量よりも小さい。更にまた、駆動手段４は、進出部３と共に進出部５も駆動する。本変形例における上記以外の構成は、前述の実施形態と同様である。
【００２９】
本変形例においては、進出部３が標準状態にあるときは、進出部５も標準状態にある。そして、進出部３が進出状態となるときは、進出部５も進出状態となる。この結果、進出部５により、入浴者Ｍの肩胛骨の周辺をマッサージすることができる。また、下段の進出部３の進出量を上段の進出部５の進出量よりも大きくすることにより、前述の実施形態と同様に、ヘッドレスト６の支持面６ａを背側位置としたときに、臀部を浮かすことができ、ストレッチ効果を得ることができる。本変形例における上記以外の動作及び効果は、前述の実施形態と同様である。
【００３０】
次に、本実施形態の第２の変形例について説明する。  
図６は、本変形例に係る浴槽装置を例示する模式的断面図であり、ヘッドレストの支持面が背側位置にあり、進出部が進出状態にある場合を示す。  
図６に示すように、本変形例に係る浴槽装置３１においては、下段の進出部３の進出方向が、傾斜面２ｂに垂直な方向に対して上方に傾斜している。すなわち、進出部３の根元から傾斜面２ｂに沿って上方に向かう方向と、進出部３の進出方向とのなす角度が、９０度未満である。本変形例における上記以外の構成は、前述の第１の変形例と同様である。
【００３１】
本変形例においては、進出部３が傾斜面２ｂの法線方向よりも上方に向けて進出することにより、入浴者Ｍの腰部におけるＳ字曲線部の凹んだ部分を略垂直に押圧することができる。これにより、マッサージ効果がより向上する。また、入浴者Ｍの腰部をより効果的に伸ばすことができると共に、腰部を高く持ち上げることができるため、ストレッチ効果がより向上する。本変形例における上記以外の動作及び効果は、前述の第１の変形例と同様である。
【００３２】
次に、本実施形態の第３の変形例について説明する。  
図７は、本変形例に係る浴槽装置を例示する模式的断面図であり、ヘッドレストの支持面が背側位置にあり、進出部が進出状態にある場合を示す。  
図７に示すように、本変形例に係る浴槽装置４１においては、浴槽２の傾斜面２ｂにおいて、進出部５よりも上方の領域に、第３の進出部７が設けられている。すなわち、本変形例においては、傾斜面２ｂに進出部が３段設けられている。そして、上段の進出部７は、浴槽２のリムの近傍に配置されており、入浴者Ｍが入浴姿勢をとったときに、入浴者Ｍの肩に相当する位置に配置されている。進出部７は、通常の条件で浴槽２内に湯Ｗを溜めたときに、湯Ｗの外に出る。また、進出部７の進出方向は、例えば、傾斜面２ｂに対して略垂直な方向である。更に、進出部７の進出量は、例えば、中段の進出部５の進出量よりも大きく、例えば、下段の進出部３の進出量よりも小さい。更にまた、駆動手段４は、進出部３及び５と共に進出部７も駆動する。本変形例における上記以外の構成は、前述の第１の変形例と同様である。すなわち、中段の進出部５は入浴者の肩胛骨に相当する位置に配置されており、下段の進出部３は入浴者の腰部に相当する位置に配置されている。本変形例における上記以外の構成は、前述の第１の変形例と同様である。
【００３３】
本変形例においては、進出部３及び５が標準状態にあるときは、進出部７も標準状態にある。そして、進出部３及び５が進出状態にあるときは、進出部７も進出状態にある。これにより、進出部７により入浴者Ｍの肩を押圧することができ、肩揉みを行うことができる。また、各進出部が進出状態にあるときに、入浴者Ｍを肩の部分でも支えることができるため、入浴者の姿勢がより安定する。本変形例における上記以外の動作及び効果は、前述の第１の変形例と同様である。
【００３４】
次に、本実施形態の第４の変形例について説明する。  
図８は、本変形例に係る浴槽装置を例示する模式的断面図であり、ヘッドレストの支持面が背側位置にあり、進出部が進出状態にある場合を示す。  
図８に示すように、本変形例に係る浴槽装置５１おいては、上段の進出部７の進出方向が、傾斜面２ｂに垂直な方向に対して下方に傾斜している。すなわち、進出部７の根元から傾斜面２ｂに沿って下方に向かう方向と、進出部７の進出方向とのなす角度が、９０度未満である。本変形例における上記以外の構成は、前述の第３の変形例と同様である。
【００３５】
本変形例においては、進出部７が傾斜面２ｂの法線方向よりも下方に向けて進出することにより、入浴者Ｍの肩を上方から押圧することができる。すなわち、肩を、肩の表面に対して略垂直な方向に押圧することができる。この結果、肩揉みによるマッサージ効果を増大させることができる。また、入浴者Ｍの身体を上方から押えることにより、入浴者Ｍの姿勢をより一層安定させることができる。本変形例における上記以外の動作及び効果は、前述の第３の変形例と同様である。
【００３６】
以下、前述の本発明の実施形態を具現化するための具体例について説明する。  
先ず、第１の具体例について説明する。  
図９は、本具体例に係る浴槽装置を例示する図であり、  
図１０は、本具体例に係る浴槽装置を例示する斜視断面図であり、ヘッドレストの支持面が背側位置にあり、各進出部が標準状態にある場合を示し、  
図１１は、本具体例に係る浴槽装置を例示する断面図であり、ヘッドレストの支持面が背側位置にあり、各進出部が標準状態にある場合を示し、  
図１２は、本具体例に係る浴槽装置を例示する断面図であり、ヘッドレストの支持面が背側位置にあり、各進出部が標準状態から進出状態に移行する途中にある場合を示し、  
図１３は、本具体例に係る浴槽装置を例示する断面図であり、ヘッドレストの支持面が背側位置にあり、各進出部が進出状態にある場合を示し、  
図１４は、本具体例に係る浴槽装置を例示する斜視断面図であり、ヘッドレストの支持面が足側位置にあり、各進出部が標準状態にある場合を示し、  
図１５は、本具体例に係る浴槽装置を例示する断面図であり、ヘッドレストの支持面が足側位置にあり、各進出部が標準状態にある場合を示す。
【００３７】
図９乃至図１５に示すように、本具体例に係る浴槽装置６１において、浴槽２の形状は、前述の実施形態と同様である。一方、浴槽２の傾斜面２ｂには４個の進出部が設けられており、上下方向に２個、水平方向に２個配列されたマトリクス状に配置されている。すなわち、下段には、進出部１３が水平方向に２個配列されており、上段には、進出部１５が水平方向に２個配列されている。そして、入浴者が入浴姿勢をとったときに、下段の進出部１３は入浴者の腰部に相当する位置に配置され、上段の進出部１５は肩胛骨周辺に相当する位置に配置される。また、各進出部の進出方向は、傾斜面２ｂの表面に対して略垂直な方向である。更に、下段の進出部１３の進出量は、上段の進出部１５の進出量よりも大きい。
【００３８】
また、浴槽２の背側の上面には、ヘッドレスト１６が取り付けられている。ヘッドレスト１６はエアバックにより構成されており、内部に空気が出入りすることにより、浴槽２の長手方向に沿って伸縮する。また、このエアバックはゴムなどの弾力性のあるシート材料によって形成されており、内部に空気を流入するための圧力が印加されていなければ、それ自体の弾力によって内部の空気を排出し、縮んだ状態になる。そして、ヘッドレスト１６の背側部分の下面は浴槽２の上面に固定されており、足側部分は自由端となっている。これにより、エアバック内に空気を注入すると、エアバックが膨張し、ヘッドレスト１６の足側の面、すなわち、支持面１６ａは足側位置をとる。また、エアバック内から空気を抜くと、エアバックは縮小し、支持面１６ａは背側位置をとる。
【００３９】
また、図９に示すように、進出部１３及び１５並びにヘッドレスト１６には、駆動手段１４が接続されている。駆動手段１４においては、ポンプ１４１と、このポンプ１４１と各進出部及びヘッドレスト１６とを連通する５本のエアチューブ１４２と、進出部に接続された４本のエアチューブ１４２の途中にそれぞれ設けられた切替弁１４３と、ヘッドレスト１６に接続された１本のエアチューブ１４２の途中に設けられた切替弁１４４が設けられている。切替弁１４３及び１４４は例えば電磁弁である。また、ポンプ１４１並びに切替弁１４３及び１４４には、制御部１９が接続されている。
【００４０】
以下、各進出部の構成をより詳細に説明する。  
図１６は、本具体例の進出部を例示する斜視図であり、進出状態を示し、  
図１７は、この進出部を例示する斜視分解図であり、  
図１８は、この進出部を例示する斜視断面分解図であり、  
図１９は、この進出部を例示する断面図であり、標準状態を示し、  
図２０は、この進出部を例示する断面図であり、進出状態を示す。
【００４１】
図１６乃至図２０に示すように、本具体例に係る進出部１３は、エアバック方式の進出部である。進出部１３においては、表側、すなわち、浴槽２内に露出して入浴者の背中が当接する側から順に、カバー１３１、エアバック１３２、ステイ１３３、パッキン１３４及びステイ止め１３５が設けられている。カバー１３１の形状はリング状であり、ステイ１３３と結合することにより、ステイ１３３との間でエアバック１３２の周辺部を挟持する。エアバック１３２は、バック部１３６と、このバック部１３６の背面側中央部に連結されたストロー部１３７とから構成されている。ストロー部１３７の内部は中空となっており、バック部１３６内に連通されている。バック部１３６は、ストロー部１３７を介して空気が出入りすることにより、膨張及び収縮する。
【００４２】
ステイ１３３はカバー１３１と共にエアバック１３２を保持するものであり、中央に孔が形成された円板部１３８と、この円板部１３８の背面側中央部に連結された筒状部１３９とからなり、筒状部１３９の内部は円板部１３８の孔に連通されている。パッキン１３４の形状は両端部が広がったリング状であり、浴槽２の傾斜面２ｂに形成された孔２ｈに挿通されている。パッキン１３４の開口部には、ステイ１３３の筒状部１３９が挿通し、筒状部１３９内にはエアバック１３２のストロー部１３７が挿通している。パッキン１３４は、浴槽２の水密性を保持しつつ、筒状部１３９を浴槽２の内部から外部に引き出すものである。ステイ止め１３５の形状はリング状であり、その開口部内にステイ１３３の筒状部１３９が嵌合されることにより、ステイ１３３との間でパッキン１３４を挟持している。これにより、進出部１３全体が浴槽２の傾斜面２ｂに対して固定される。  
なお、上述の説明は進出部１３についての説明であるが、進出部１５の構成も進出部１３と同様である。
【００４３】
次に、本具体例の動作について説明する。  
ポンプ１４１が作動していないときは、図１９に示すように、エアバック１３２のバック部１３６は水圧により潰されて、縮んだ状態にある。これにより、進出部１３は標準状態にある。進出部１５も同様である。また、ヘッドレスト１６も縮んだ状態にあり、支持面１６ａは背側位置にある。すなわち、浴槽装置６１は、図１１に示す状態にある。
【００４４】
そして、入浴者が、臀部を底面２ａに乗せ、背中を傾斜面２ｂに凭れさせて進出部１３、１５の各バック部１３６の表面に当接させ、後頭部をヘッドレスト１６の支持面１６ａに押し付けた状態で、制御部１９がポンプ１４１を作動させることにより、ポンプ１４１がエアチューブ１４２に対して空気を供給する。そして、制御部１９が切替弁１４３を操作して、ポンプ１４１と各進出部とを連通させることにより、進出部１３及び１５に空気を供給する。これにより、図２０に示すように、エアバック１３２のストロー部１３７を介してバック部１３６内に空気が流入し、この空気の圧力によってバック部１３６が膨張する。この結果、進出部１３及び１５は進出状態になる。すなわち、浴槽装置６１は図１２に示す状態を経て、図１３に示す状態になる。
【００４５】
その後、制御部１９が切替弁１４３を切替えて、各進出部を外部に連通させると、バック部１３６は水圧により縮み、標準状態に戻る。すなわち、浴槽装置６１は図１１に示す状態に戻る。この動作を繰り返すことにより、各進出部が標準状態と進出状態とを繰り返す。
【００４６】
一方、制御部１９が切替弁１４４を切替えて、ポンプ１４１をヘッドレスト１６に連通させると、ヘッドレスト１６が膨張し、支持面１６ａは足側位置に位置する。すなわち、浴槽装置６１は、図１４及び図１５に示す状態となる。また、制御部１９が切替弁１４４を切替えて、ヘッドレスト１６を外部に連通させると、ヘッドレスト１６はそれ自体の弾力によって内部の空気を排出して縮み、支持面１６ａは背側に位置する。すなわち、浴槽装置６１は、図１０及び図１１に示す状態となる。
【００４７】
本具体例によれば、浴槽の内部に電気部品を配置することなく、浴槽装置を構成することができる。これにより、漏電及び感電に対する対策並びに湯による電気部品の腐食に対する対策などが不要になり、低コストで信頼性が高い浴槽装置を実現することができる。本具体例における上記以外の構成、動作及び効果は、前述の第１の変形例と同様である。なお、本具体例において、エアバック内に空気以外の流体、すなわち、気体又は液体を供給してもよい。
【００４８】
次に、第２の具体例について説明する。  
図２１は、横軸に時間をとり、縦軸にエアバックの状態をとって、本具体例に係る浴槽装置の動作を例示するタイミングチャートである。  
なお、図２１に示す「ヘッドレストエアバック」とは、図９に示すヘッドレスト１６を構成するエアバックをいい、「上側エアバック」とは、図９に示す進出部１５を構成するバック部１３６（図１６参照）をいい、「下側エアバック」とは、図９に示す進出部１３を構成するバック部１３６（図１６参照）をいう。また、「ＯＮ」は各エアバックが膨張した状態を表し、「ＯＦＦ」は各エアバックが縮小した状態を表す。
【００４９】
本第２の具体例に係る浴槽装置は、前述の第１の具体例と比較して、動作が異なっている。すなわち、図２１に示すように、本具体例においては、先ず、上側エアバック、下側エアバック、ヘッドレストエアバックがいずれも縮小している状態から、上側エアバック及び下側エアバックを膨張させる。このとき、ヘッドレストエアバックは縮小させたままとする。これにより、図１３に示すように、進出部１３及び１５は進出状態となり、ヘッドレスト１６の支持面１６ａは背側位置をとる。この状態を時間Ｔ１だけ維持する。
【００５０】
次に、ヘッドレストエアバックを縮小させたまま、上側エアバック及び下側エアバックを縮小させる。これにより、図１１に示すように、支持面１６ａは背側位置に位置したまま、進出部１３及び１５は標準状態となる。この状態を時間Ｔ２だけ維持する。
【００５１】
次に、上側エアバック及び下側エアバックを縮小させたまま、ヘッドレストエアバックを膨張させる。これにより、図１５に示すように、進出部１３及び１５は標準状態のまま、支持面１６ａは足側位置をとる。この状態を時間Ｔ３だけ維持する。
【００５２】
次に、ヘッドレストエアバックを縮小させる。これにより、図１１に示すように、支持面１６ａが背側位置に戻る。このように、本具体例に係る浴槽装置は、図１３に示す状態、すなわち、進出部がいずれも進出状態にあり支持面１６ａが背側にある状態と、図１５に示す状態、すなわち、進出部がいずれも標準状態にあり支持面１６ａが足側にある状態とを、図１１に示す状態、すなわち、進出部がいずれも標準状態にあり支持面１６ａが背側にある状態を挟んで、交互に実現する。この結果、入浴者は、ストレット浴及び浮遊浴を楽しむことができる。本具体例における上記以外の構成、動作及び効果は、前述の第１の具体例と同様である。
【００５３】
また、本具体例によれば、腰椎の押圧とヘッドレストの縮小とを同じタイミングで行うことにより、腰椎より上の上体を傾斜面２ｂに向ってより傾斜させ、胸腔をより開くように姿勢を変化させることができる。これにより、より胸腔を押し広げ、呼吸量を増大させることができる。このとき、入浴者は、浴槽装置の動作と同期して呼吸を行うことで、より一層リラックスすることもできる。すなわち、入浴者は、ヘッドレストの縮小及び進出部の進出により胸腔が押し広がる姿勢となった時に、息を吸い、ヘッドレストの拡大及び進出部の縮小により胸腔が縮小する姿勢となった時に、息を吐くようにすることで、呼吸が自然と深呼吸になり、リラックスしながらストレッチ浴を楽しむことができる。
【００５４】
次に、第３の具体例について説明する。  
図２２乃至図２７は、本具体例に係る浴槽装置を例示する斜視断面図であり、  
図２２は、ヘッドレストの支持面が背側位置にあり、各進出部が標準状態にある場合を示し、  
図２３は、ヘッドレストの支持面が背側位置にあり、上側の進出部が進出状態にあり、下側の進出部が標準状態にある場合を示し、  
図２４は、ヘッドレストの支持面が背側位置にあり、上側の進出部が標準状態にあり、下側の進出部が進出状態にある場合を示し、  
図２５は、ヘッドレストの支持面が足側位置にあり、各進出部が標準状態にある場合を示し、  
図２６は、ヘッドレストの支持面が足側位置にあり、上側の進出部が進出状態にあり、下側の進出部が標準状態にある場合を示し、  
図２７は、ヘッドレストの支持面が足側位置にあり、上側の進出部が標準状態にあり、下側の進出部が進出状態にある場合を示す。
【００５５】
本第３の具体例は、前述の第１の具体例と比較して、ヘッドレストの構成が異なっている。すなわち、図２２に示すように、本具体例に係る浴槽装置７１においては、ヘッドレスト２６が設けられている。ヘッドレスト２６は、例えば、人工皮革などからなる防水性及び柔軟性を有する袋の中に、クッション性を有する詰物を充填させたものである。従って、入浴者がヘッドレスト２６に後頭部を乗せると、クッション性を感じられる程度には変形はするものの、エアバックのように体積及び形状が大きく変化することはない。ヘッドレスト２６の足側の面は、入浴者の後頭部を支持する支持面２６ａとなっている。
【００５６】
そして、本具体例においては、ヘッドレスト２６の両側面に、浴槽２の長手方向に延びるガイド部材２７が取り付けられている。ガイド部材２７には、浴槽２の長手方向に延びるガイド穴２７ａが形成されている。また、浴槽２の背側の上面には、ヘッドレスト２６を挟むように１対の支持部材２８が設けられており、各支持部材２８には、ネジ２９が取り付けられている。ネジ２９は支持部材２８に形成されたネジ孔を外側から貫通し、その先端部がガイド部材２７のガイド穴２７ａに嵌合するようになっている。これにより、ネジ２９を緩めているときは、ネジ２９の先端部がガイド部材２７のガイド穴２７ａ内を相対的に移動することにより、ヘッドレスト２６及びガイド部材２７が１対の支持部材２８間を浴槽２の長手方向に沿って移動可能となる。一方、ネジ２９を締めているときは、ネジ２９の先端部がガイド穴２７ａ内における任意の位置で固定されることにより、ヘッドレスト２６及びガイド部材２７がその移動域の任意の位置で固定される。
【００５７】
本具体例においては、ヘッドレスト２６の位置を手動で調整することにより、支持面２６ａの位置が調整される。すなわち、図２２乃至図２４に示すように、ヘッドレスト２６をその移動域における背側の端部に位置させると、支持面２６ａは背側位置になる。この状態から、ヘッドレスト２６を足側に引き出すことにより、ネジ２９の先端部がガイド穴２７ａ内を相対的に移動し、ヘッドレスト２６はガイド部材２７に案内されて、足側にスライドする。そして、図２５乃至図２７に示すように、ヘッドレスト２６をその移動域における足側の端部で固定すると、支持面２６ａは足側位置をとる。また、ヘッドレスト２６がその移動域における任意の位置にあるときに、ネジ２９を締めることにより、ヘッドレスト２６をその位置に固定し、支持面２６ａの位置を固定することができる。本具体例における上記以外の構成、動作及び効果は、前述の第１の具体例と同様である。
【００５８】
次に、第４の具体例について説明する。  
図２８乃至図３０は、本具体例に係る浴槽装置を例示する斜視断面図であり、  
図２８は、ヘッドレストの支持面が背側位置にある場合を示し、  
図２９は、ヘッドレストが回動中である場合を示し、  
図３０は、ヘッドレストの支持面が足側位置にある場合を示す。
【００５９】
本第４の具体例は、前述の第１の具体例と比較して、ヘッドレストの構成が異なっている。すなわち、図２８に示すように、本具体例に係る浴槽装置８１においては、ヘッドレスト３６が設けられている。ヘッドレスト３６は、例えば、前述の第３の具体例におけるヘッドレスト２６（図２２参照）と同様に、防水性及び柔軟性を有し、形状がほぼ固定されている。ヘッドレスト３６の一端部には、ヘッドレスト３６を左右方向に貫通する貫通孔が形成されている。
【００６０】
また、浴槽２の背側の上面には、ヘッドレスト３６を挟むように１対の支持部材３８が設けられており、各支持部材３８間には、水平方向に延びる軸３９が支持部材３８に対して回転自在に設けられている。軸３９はヘッドレスト３６の貫通孔を貫通している。これにより、ヘッドレスト３６は、支持部材３８に対して軸３９を中心として回動可能とされている。
【００６１】
本具体例においては、ヘッドレスト３６の向きを手動で調整することにより、ヘッドレスト３６の支持面の位置が選択される。すなわち、図２８に示すように、ヘッドレスト３６の長軸側の端部、すなわち、貫通孔が設けられていない側の端部を背側とし、短軸側、すなわち、貫通孔が設けられている側の端部を足側とした場合は、短軸側の端面３６ｂが入浴者の後頭部を支持する支持面となる。この場合、ヘッドレスト３６の支持面は背側位置に位置する。一方、図２８に示す状態から、ヘッドレスト３６を軸３９を中心として回動させると、図２９に示すように、ヘッドレスト３６の長軸側の端部が軸３９の上方を通過し、図３０に示すように、ヘッドレスト３６の短軸側の端部が背側に位置し、長軸側の端部が足側に位置した状態となる。この場合は、ヘッドレスト３６の長軸側の端面３６ｃが支持面となる。このとき、ヘッドレスト３６の支持面は足側位置に位置する。また、ヘッドレスト３６の支持面が背側位置又は足側位置にあるときは、入浴者が後頭部を支持面に押し付けてもヘッドレスト３６は回動しないため、支持面は背側位置又は足側位置のそれぞれで固定される。本具体例における上記以外の構成、動作及び効果は、前述の第１の具体例と同様である。
【００６２】
次に、第５の具体例について説明する。  
図３１は、本具体例に係る浴槽装置を例示する斜視断面図であり、ヘッドレストの支持面が低位置にある場合を示し、  
図３２は、その断面図であり、  
図３３は、この浴槽装置を例示する斜視断面図であり、ヘッドレストの支持面が高位置にある場合を示し、  
図３４は、その断面図である。
【００６３】
本第５の具体例は、前述の第１の具体例と比較して、ヘッドレストの構成が異なっている。すなわち、図３１に示すように、本具体例に係る浴槽装置９１においては、ヘッドレスト４６が設けられている。ヘッドレスト４６は、例えば、前述の第３の具体例におけるヘッドレスト２６（図２２参照）と同様に、防水性及び柔軟性を有し、形状がほぼ固定されている。ヘッドレスト４６の形状は例えば円柱形であり、その中心軸は浴槽２の左右方向に延び、中心軸に沿って貫通孔が形成されている。また、ヘッドレスト４６の側面のうち、足側の領域が支持面４６ａとなっている。
【００６４】
また、浴槽２の背側の上面には、ヘッドレスト４６を挟むように１対の支持部材４８が設けられている。図３１乃至図３４に示すように、支持部材４８は多段構成となっており、垂直方向に伸縮自在であり、従って、その最上段は、垂直方向に移動可能となっている。また、支持部材４８の最上段はその移動域における任意の位置で固定可能である。更に、１対の支持部材４８の最上段間には、水平方向に延びる軸４９が張架されており、この軸４９はヘッドレスト４６の貫通孔を貫通している。これにより、ヘッドレスト４６は、支持部材４８の最上段間に支持されており、支持部材４８を伸縮させることにより、任意の高さに固定可能とされている。
【００６５】
本具体例においては、ヘッドレスト４６の高さを手動で調節することにより、支持面４６ａの位置を調節することができる。すなわち、図３１及び図３２に示すように、支持部材４８を縮め、ヘッドレスト４６をその移動域における最も低い位置に固定した場合には、支持面４６ａは低位置をとる。一方、図３３及び図３４に示すように、支持部材４８を上に向けて伸ばし、ヘッドレスト４６をその移動域における最も高い位置に固定した場合には、支持面４６ａは高位置をとる。また、ヘッドレスト４６をその移動域における任意の位置に固定すると、支持面４６ａを任意の高さで固定することができる。本具体例における上記以外の構成、動作及び効果は、前述の第１の具体例と同様である。
【００６６】
なお、本具体例においては、支持部材４８を浴槽２の上面におけるより背側の領域に取り付けて、ヘッドレスト４６が低位置にあるときに、支持面４６ａが浴槽２の傾斜面２ｂの延長面よりも背側に位置するようにし、ヘッドレスト４６が高位置にあるときに、支持面４６ａがこの延長面よりも足側に位置するようにしてもよい。これにより、ヘッドレスト４６の高さを調節することによって、支持面４６ａの位置を背側位置又は足側位置とし、入浴者の姿勢を仰臥姿勢又は座位姿勢とすることができる。
【００６７】
また、本具体例においては、支持部材４８の伸縮方向を垂直方向に対して傾斜した方向としてもよい。更に、支持部材４８の伸縮方向を変えられるようにしてもよい。これにより、ヘッドレスト４６の位置を入浴者の体格に合わせて調整することができ、入浴者により快適な姿勢をとらせることができる。
【００６８】
次に、第６の具体例について説明する。  
図３５は、本具体例の進出部及び駆動手段を例示する斜視断面分解図であり、  
図３６（ａ）及び（ｂ）は、この進出部及び駆動手段を例示する斜視断面図であり、（ａ）は標準状態を示し、（ｂ）は進出状態を示す。  
本具体例は、前述の第１の具体例と比較して、進出部及び駆動手段の構成が異なっている。本具体例における浴槽の形状、ヘッドレストの構成、並びに進出部の配置、進出方向及び進出量は、前述の第１の具体例と同様である。
【００６９】
図３５に示すように、本具体例における進出部２３は、リニアアクチュエータ方式の進出部である。進出部２３においては、表側、すなわち、入浴者の背中が当接する側から順に、押当板２３１、ガイド２３２、パッキン２３３、ガイド押え２３４及びアクチュエータ固定具２３５設けられている。また、本具体例の駆動手段には、リニアアクチュエータ２４１が設けられている。リニアアクチュエータ２４１においては、円柱形の本体部２４２及び円柱形のアーム部２４３が設けられている。本体部２４２は、アーム部２４３をその軸方向に沿って往復直線運動させる。アーム部２４３の先端には、凹部２４４が形成されている。リニアアクチュエータ２４１の動作は、制御部（図示せず）により制御される。
【００７０】
押当板２３１は、入浴者の背中を押圧するものである。押当板２３１の裏面には、リニアアクチュエータ２４１の凹部２４４に嵌合する凸部２４６が形成されている。ガイド２３２の形状は筒状であり、その内部をリニアアクチュエータ２４１のアーム部２４３が挿通することにより、アーム部２４３の移動方向を規制する。パッキン２３３の形状は両端部が広がったリング状であり、浴槽２の傾斜面２ｂに形成された孔２ｈに挿通されている。パッキン２３３の開口部には、ガイド２３２が挿通し、ガイド２３２内にはリニアアクチュエータ２４１のアーム部２４３が挿通している。パッキン２３３は、浴槽２の水密性を保持しつつ、ガイド２３２を浴槽２の内部から外部に引き出すものである。
【００７１】
ガイド押え２３４の形状はリング状である。ガイド押え２３４は、その開口部にガイド２３２が嵌合されることにより、ガイド２３２との間で、パッキン２３３を介して浴槽２の内壁を挟持する。これにより、進出部２３全体が浴槽２の傾斜面２ｂに対して固定される。アクチュエータ固定具２３５は、リニアアクチュエータ２４１の本体部２４２を進出部２３に対して固定するものである。
【００７２】
次に、本具体例の動作について説明する。  
図３６（ａ）及び（ｂ）に示すように、制御部がリニアアクチュエータ２４１を作動させることにより、本体部２４２がアーム部２４３に往復運動させ、押当板２３１をその表面に垂直な方向に往復運動させる。これにより、図３６（ａ）に示す標準状態と（ｂ）に示す進出状態とを繰り返し実現する。本具体例によれば、制御部の制御を変更することにより、押当板２３１の速度及び変異量を容易且つ自由に変更することができる。本具体例における上記以外の構成、動作及び効果は、前述の第１の具体例と同様である。
【００７３】
次に、第７の具体例について説明する。  
図３７は、本具体例の進出部及び駆動手段を例示する斜視断面図であり、標準状態を示し、  
図３８は、この進出部及び駆動手段を例示する斜視断面図であり、進出状態を示す。  
本具体例は、前述の第１の具体例と比較して、進出部及び駆動手段の構成が異なっている。本具体例における浴槽の形状、並びに進出部の配置、進出方向及び進出量は、前述の第１の具体例と同様である。
【００７４】
図３７及び図３８に示すように、本具体例における進出部３３は、カム方式の進出部である。進出部３３においては、表側、すなわち、入浴者の背中が当接する側から順に、押当板３３１、ガイド３３２、パッキン３３３、ガイド押え３３４、バネ押え３３５及びカム当て板３３６が設けられている。ガイド３３２、パッキン３３３及びガイド押え３３４の構成は、前述の第６の具体例と同様であり、これらの形状はいずれもリング状である。バネ押え３３５及びカム当て板３３６も、中央部が開口したリング状の円板である。
【００７５】
また、押当板３３１においては、その表面に入浴者の背中が当接する円板部３３７と、この円板部３３７の背面側中央部から起立した円柱部３３８とが設けられている。円柱部３３８は、ガイド３３２、パッキン３３３、ガイド押え３３４、バネ押え３３５及びカム当て板３３６の中央部に開口された開口部を挿通している。そして、円柱部３３８は、ガイド３３２、パッキン３３３、ガイド押え３３４及びバネ押え３３５に対しては固定されておらず、これらの開口部内を円柱部３３８の軸方向に沿って摺動可能であるが、カム当て板３３６に対しては固定されている。従って、押当板３３１及びカム当て板３３６は、一体的に、ガイド３３２、パッキン３３３、ガイド押え３３４及びバネ押え３３５に対して摺動する。
【００７６】
更に、バネ押え３３５とカム当て板３３６との間における円柱部３３８の周囲を周回するように、バネ３３９が設けられている。バネ３３９は、カム当て板３３６をバネ押え３３５から離隔する方向に付勢している。
【００７７】
一方、本具体例の駆動手段３４においては、カム３４１が設けられている。カム３４１の形状は、略卵形の板状であり、その中心から外れた部分を回転軸３４２として回転する。また、この駆動手段３４においては、カム３４１をその回転軸３４２を回転中心として回転させるモータ（図示せず）が設けられている。また、本変形例に係る入浴装置においては、このモータを制御する制御部（図示せず）が設けられている。
【００７８】
次に、本具体例の動作について説明する。  
図３７に示すように、カム当て板３３６は、常にバネ３３９によりカム３４１に向けて付勢されているため、カム３４１の短軸側がカム当て板３３６に当接しているときには、押当板３３１は浴槽２の傾斜面２ｂに近づいており、進出部３３は標準状態にある。一方、図３８に示すように、カム３４１の長軸側がカム当て板３３６に当接しているときには、押当板３３１は浴槽２の傾斜面２ｂから離隔しており、進出部３３は進出状態にある。そして、制御部がモータを駆動することにより、モータがカム３４１を回転させ、押当板３３１を往復運動させる。これにより、進出部３３は標準状態と進出状態とを繰り返し実現する。そして、このとき、各進出部に対応するカムの位相を同位相とすれば、各進出部の動作も同位相となる。
【００７９】
本具体例によれば、カムの形状を選択することにより、進出部の動作を任意に設定することができる。例えば、進出部の動作を、加速度が大きく変化する動作とすることができる。これにより、例えば、複数種類のカムを用意しておき、モータに装着するカムを交換することにより、進出部の動作のパターンを変更することができる。本具体例における上記以外の構成、動作及び効果は、前述の第１の具体例と同様である。
【００８０】
以上、本発明の実施形態並びにその変形例及び具体例を参照しつつ、本発明の特徴を説明した。しかし、本発明は、これらの実施形態などに限定されるものではない。すなわち、前述の実施形態、変形例及び具体例を適宜組み合わせたもの、並びに、実施形態、変形例及び具体例のいずれかに係る浴槽装置に対して、当業者が構成要素の追加、省略又は設計変更を加えたものも、本発明の要旨を備えたものであれば、本発明の範囲に包含される。
【００８１】
例えば、前述の実施形態及び第１乃至第４の変形例における進出部の配置と、前述の第１、第３乃至第５の具体例におけるヘッドレストの構成と、前述の第１、第６及び第７の具体例における進出部及び駆動手段の構成は、任意に組合せ可能である。また、前述の各浴槽装置に設けられた制御部は、進出部の動作タイミング及び動作量などをプログラム可能となっていてもよい。これにより、入浴者は、自分で好みのマッサージ形態をプログラムすることができる。また、予め記憶された複数のプログラムの中から、任意のプログラムを選択して実行させることもできる。
【００８２】
また、前述の第１の具体例において、エアバックの内部における入浴者に当接する側の壁面に振動子を固定してもよい。これにより、エアバックの押圧に振動子の振動を加えたマッサージを行うことができ、入浴者に押圧刺激だけでなく振動刺激も与えることができる。またこの場合は、エアバックの押圧力により振動子を入浴者に押し付けることができるため、振動によるマッサージ効果が高い。更に、振動子はエアバックに取り付けられているため、エアバック自体の弾性力により防振効果が得られ、浴槽や浴室などに振動が伝わることがない。
【００８３】
このように、エアバックの内部に振動子を設ける場合、振動子のリード線は、エアバックの空気導入孔（図１４に示すストロー部１３７）又は別途設けられたリード線取出口から取り出し、振動発生装置又は増幅器に接続することができる。なお、このとき、リード線の取出部をシールすることにより、空気の漏れを防ぐことができる。振動発生装置はマッサージに適した周波数の信号を振動子に対して出力することにより、振動子を振動させることができる。また、増幅器は音楽の再生信号を振動子に対して出力することにより、振動子を振動させることができる。そして、音楽を再生する際には、エアバックの素材がスピーカーのコーンのような役割を発揮し、マッサージと同時に音楽を楽しむことができる。
【００８４】
更に、前述の第１の具体例において、エアバックの表面に、エアバックを覆うように硬質の半球状カバーを取り付けてもよい。このカバーは例えば樹脂により形成することができる。これにより、入浴者に固い押圧感を与えてマッサージ効果を高めると共に、エアバックを保護することができる。この結果、入浴時や清掃時における不慮の事故によってエアバックに傷が入り、空気が漏れてしまったり、浴槽外にお湯が流出したりすることを防止できる。
【図面の簡単な説明】
【００８５】
【図１】本発明の実施形態に係る浴槽装置を例示する模式的断面図であり、ヘッドレストの支持面が背側位置にあり、進出部が標準状態にある場合を示す。
【図２】本発明の実施形態に係る浴槽装置を例示する模式的断面図であり、ヘッドレストの支持面が背側位置にあり、進出部が進出状態にある場合を示す。
【図３】本発明の実施形態に係る浴槽装置を例示する模式的断面図であり、ヘッドレストの支持面が足側位置にあり、進出部が標準状態にある場合を示す。
【図４】本発明の実施形態に係る浴槽装置を例示する模式的断面図であり、ヘッドレストの支持面が足側位置にあり、進出部が進出状態にある場合を示す。
【図５】本発明の実施形態の第１の変形例に係る浴槽装置を例示する模式的断面図であり、ヘッドレストの支持面が背側位置にあり、進出部が進出状態にある場合を示す。
【図６】本発明の実施形態の第２の変形例に係る浴槽装置を例示する模式的断面図であり、ヘッドレストの支持面が背側位置にあり、進出部が進出状態にある場合を示す。
【図７】本発明の実施形態の第３の変形例に係る浴槽装置を例示する模式的断面図であり、ヘッドレストの支持面が背側位置にあり、進出部が進出状態にある場合を示す。
【図８】本発明の実施形態の第４の変形例に係る浴槽装置を例示する模式的断面図であり、ヘッドレストの支持面が背側位置にあり、進出部が進出状態にある場合を示す。
【図９】本発明の実施形態の第１の具体例に係る浴槽装置を例示する図である。
【図１０】第１の具体例に係る浴槽装置を例示する斜視断面図であり、ヘッドレストの支持面が背側位置にあり、各進出部が標準状態にある場合を示す。
【図１１】第１の具体例に係る浴槽装置を例示する断面図であり、ヘッドレストの支持面が背側位置にあり、各進出部が標準状態にある場合を示す。
【図１２】第１の具体例に係る浴槽装置を例示する断面図であり、ヘッドレストの支持面が背側位置にあり、各進出部が標準状態から進出状態に移行する途中にある場合を示す。
【図１３】第１の具体例に係る浴槽装置を例示する断面図であり、ヘッドレストの支持面が背側位置にあり、各進出部が進出状態にある場合を示す。
【図１４】第１の具体例に係る浴槽装置を例示する斜視断面図であり、ヘッドレストの支持面が足側位置にあり、各進出部が標準状態にある場合を示す。
【図１５】第１の具体例に係る浴槽装置を例示する断面図であり、ヘッドレストの支持面が足側位置にあり、各進出部が標準状態にある場合を示す。
【図１６】第１の具体例の進出部を例示する断面図であり、進出状態を示す。
【図１７】第１の具体例の進出部を例示する斜視分解図である。
【図１８】第１の具体例の進出部を例示する斜視断面分解図である。
【図１９】第１の具体例の進出部を例示する断面図であり、標準状態を示す。
【図２０】第１の具体例の進出部を例示する断面図であり、進出状態を示す。
【図２１】横軸に時間をとり、縦軸にエアバックの状態をとって、第２の具体例に係る浴槽装置の動作を例示するタイミングチャートである。
【図２２】第３の具体例に係る浴槽装置を例示する斜視断面図であり、ヘッドレストの支持面が背側位置にあり、各進出部が標準状態にある場合を示す。
【図２３】第３の具体例に係る浴槽装置を例示する斜視断面図であり、ヘッドレストの支持面が背側位置にあり、上側の進出部が進出状態にあり、下側の進出部が標準状態にある場合を示す。
【図２４】第３の具体例に係る浴槽装置を例示する斜視断面図であり、ヘッドレストの支持面が背側位置にあり、上側の進出部が標準状態にあり、下側の進出部が進出状態にある場合を示す。
【図２５】第３の具体例に係る浴槽装置を例示する斜視断面図であり、ヘッドレストの支持面が足側位置にあり、各進出部が標準状態にある場合を示す。
【図２６】第３の具体例に係る浴槽装置を例示する斜視断面図であり、ヘッドレストの支持面が足側位置にあり、上側の進出部が進出状態にあり、下側の進出部が標準状態にある場合を示す。
【図２７】第３の具体例に係る浴槽装置を例示する斜視断面図であり、ヘッドレストの支持面が足側位置にあり、上側の進出部が標準状態にあり、下側の進出部が進出状態にある場合を示す。
【図２８】第４の具体例に係る浴槽装置を例示する斜視断面図であり、ヘッドレストの支持面が背側位置にある場合を示す。
【図２９】第４の具体例に係る浴槽装置を例示する斜視断面図であり、ヘッドレストが回動中である場合を示す。
【図３０】第４の具体例に係る浴槽装置を例示する斜視断面図であり、ヘッドレストの支持面が足側位置にある場合を示す。
【図３１】第５の具体例に係る浴槽装置を例示する斜視断面図であり、ヘッドレストの支持面が低位置にある場合を示す。
【図３２】第５の具体例に係る浴槽装置を例示する断面図であり、ヘッドレストの支持面が低位置にある場合を示す。
【図３３】第５の具体例に係る浴槽装置を例示する斜視断面図であり、ヘッドレストの支持面が高位置にある場合を示す。
【図３４】第５の具体例に係る浴槽装置を例示する断面図であり、ヘッドレストの支持面が高位置にある場合を示す。
【図３５】第６の具体例の進出部及び駆動手段を例示する斜視断面分解図である。
【図３６】（ａ）及び（ｂ）は、第６の具体例の進出部及び駆動手段を例示する斜視断面図であり、（ａ）は標準状態を示し、（ｂ）は進出状態を示す。
【図３７】第７の具体例の進出部及び駆動手段を例示する斜視断面図であり、標準状態を示す。
【図３８】第７の具体例の進出部及び駆動手段を例示する斜視断面図であり、進出状態を示す。
【符号の説明】
【００８６】
２  浴槽、２ａ  底面、２ｂ  傾斜面、２ｃ  垂直面、２ｄ  凹部、２ｅ  垂直面、２ｆ  水平面、２ｇ  垂直面、２ｈ  孔、３、５、７  進出部、４  駆動手段、６  ヘッドレスト、６ａ  支持面、１１、２１、３１、４１、５１、６１、７１、８１、９１  浴槽装置、１３、１５  進出部、１４  駆動手段、１６、２６、３６、４６  ヘッドレスト、１６ａ、２６ａ、４６ａ  支持面、１９  制御部、２７  ガイド部材、２７ａ  ガイド穴、２８、３８、４８  支持部材、２９  ネジ、３６ｂ、３６ｃ  端面、３９、４９  軸、１３１  カバー、１３２  エアバック、１３３  ステイ、１３４  パッキン、１３５  ステイ止め、１３６  バック部、１３７  ストロー部、１３８  円板部、１３９  筒状部、１４１  ポンプ、１４２  エアチューブ、１４３、１４４  切替弁、２３１、３３１  押当板、２３２、３３２  ガイド、２３３、３３３  パッキン、２３４、２４１  リニアアクチュエータ、２４２  本体部、２４３  アーム部、２４４  凹部、３３４  ガイド押え、２３５  アクチュエータ固定具、２３６  凸部、３３５  バネ押え、３３６  カム当て板、３３７  円板部、３３８  円柱部、３３９  バネ、３４１  カム、３４２  回転軸、Ｆ  傾斜面２ｂの延長面、Ｍ  入浴者、Ｗ  湯
【図１】
2008093035.tif 000003
【図２】
2008093035.tif 000004
【図３】
2008093035.tif 000005
【図４】
2008093035.tif 000006
【図５】
2008093035.tif 000007
【図６】
2008093035.tif 000008
【図７】
2008093035.tif 000009
【図８】
2008093035.tif 000010
【図９】
2008093035.tif 000011
【図１０】
2008093035.tif 000012
【図１１】
2008093035.tif 000013
【図１２】
2008093035.tif 000014
【図１３】
2008093035.tif 000015
【図１４】
2008093035.tif 000016
【図１５】
2008093035.tif 000017
【図１６】
2008093035.tif 000018
【図１７】
2008093035.tif 000019
【図１８】
2008093035.tif 000020
【図１９】
2008093035.tif 000021
【図２０】
2008093035.tif 000022
【図２１】
2008093035.tif 000023
【図２２】
2008093035.tif 000024
【図２３】
2008093035.tif 000025
【図２４】
2008093035.tif 000026
【図２５】
2008093035.tif 000027
【図２６】
2008093035.tif 000028
【図２７】
2008093035.tif 000029
【図２８】
2008093035.tif 000030
【図２９】
2008093035.tif 000031
【図３０】
2008093035.tif 000032
【図３１】
2008093035.tif 000033
【図３２】
2008093035.tif 000034
【図３３】
2008093035.tif 000035
【図３４】
2008093035.tif 000036
【図３５】
2008093035.tif 000037
【図３６】
2008093035.tif 000038
【図３７】
2008093035.tif 000039
【図３８】
2008093035.tif 000040